(57)【要約】【課題】  隣り合う壁パネル間に挿設する扉枠材の取付構造において、精度良い施工が簡便にでき、壁パネル立設後に後付けできる取付構造を提供する。【解決手段】  所定の間隔をおいて隣り合う壁パネル１の内側側端面２に沿って取付けられる縦枠部材３と、その上端部４にて両側の側端面５（５ａ、５ｂ）が挟持される上枠部材６と、この上枠部材６の上側面７に連結した上枠下地材８とを備え、隣り合う壁パネル１の間に挿設する扉枠材９の取付構造において、隣り合う壁パネル１の上端部１０の間で、上枠下地材８を挟持せしめた後、上枠部材６の側端面５と、上枠下地材８の下側面１１と、壁パネル１の内側側端面２で形成された凹部１２に縦枠部材３を嵌入して形成するので、扉枠材９の高さが天井部分に届く程の高さであっても、扉枠材９の取付施工が簡便且つ精度良くできることに加えて、壁パネルを立設した後に、扉枠材の後付け施工が可能となる。【選択図】図１
2005336784.tif 000002
【特許請求の範囲】
【請求項１】
所定の間隔をおいて隣り合う壁パネルの内側側端面に沿って取付けられる縦枠部材と、前記縦枠部材の上端部にて両側側端面が挟持される上枠部材と、前記上枠部材の上側面に連結した上枠下地材とを備え、前記隣り合う壁パネルの間に挿設する扉枠材の取付構造において、前記隣り合う壁パネルの上端部の間で、前記上枠下地材を挟持せしめた後、前記上枠部材の側端面と、前記上枠下地材の下側面と、前記壁パネルの内側側端面で形成された凹部に前記縦枠部材を嵌入して形成することを特徴とする扉枠材の取付構造。
【請求項２】
前記上枠部材と前記上枠下地材が、一体的に形成されていることを特徴とする請求項１記載の扉枠材の取付構造。
【発明の詳細な説明】
【技術分野】
【０００１】
本願発明は、壁パネルを立設した後、後付けできる扉枠材の取付構造に関するものである。
【背景技術】
【０００２】
従来、壁パネル間の扉枠材については、壁パネルを建て込む途中で随時、扉枠材の取付けを行なっていた。この場合、定規やメジャーを使い、扉枠材の幅寸法を確保しながら、両側の壁パネルを建て込んでいた。このため、施工に際しては、施工業者の技術レベルに左右され易く、結果的に、壁パネルの調整や、確認作業等に労力を要するという問題の原因ともなっていた。
【０００３】
また、従来は、扉枠材と壁パネルとを同時に施工していたが、この場合においては、施工後に、キッチン等の設備の搬入、取付けを行なう際に扉枠材が傷つき、補修を要する等の問題も発生していた。
【０００４】
一方、壁パネル１６で形成した壁における扉枠材１７（縦枠部材１９及び上枠部材２０よりなる）の取付構造の従来例としては、例えば、図４に示すようなものが知られている（実開平６−７８５７２号公報等参照）。かかる扉枠材１７の取付構造においては、扉枠材１７を木質材料で構成した場合、温度、湿度の変化による撓み、歪み等による寸法精度の維持が難しいという問題があった。これに対応するため施工現場において、開口部２１の実際の寸法に合わせて上枠部材２０の挿入部２２の挿入位置を調整する等の方策が提案されている（実開平６−７８５７２号公報等参照）。
【０００５】
他方、上記図４に示すような壁パネルで形成した壁における扉枠材の取付構造においては、新たな壁パネル１８が、必要であるため、扉枠材１７が、天井部分に届く高さまで立設するような場合にはそのまま適用できるものではなかった。
【特許文献１】実開平６−７８５７２号公報
【発明の開示】
【発明が解決しようとする課題】
【０００６】
本願発明は、上記背景技術に鑑みて発明されたものであり、その課題は、隣り合う壁パネルの間に挿設する扉枠材の取付構造において、扉枠材の高さが天井部分に届く程の高さであっても、精度良い施工が簡便に、熟練を要することなくでき、且つ、壁パネルを立設した後、後付けできる扉枠材の取付構造を提供することである。
【課題を解決するための手段】
【０００７】
上記課題を解決するために、請求項１に係る発明の扉枠材の取付構造にあっては、所定の間隔をおいて隣り合う壁パネルの内側側端面に沿って取付けられる縦枠部材と、前記縦枠部材の上端部にて両側側端面が挟持される上枠部材と、前記上枠部材の上側面に連結した上枠下地材とを備え、前記隣り合う壁パネルの間に挿設する扉枠材の取付構造において、前記隣り合う壁パネルの上端部の間で、前記上枠下地材を挟持せしめた後、前記上枠部材の側端面と、前記上枠下地材の下側面と、前記壁パネルの内側側端面で形成された凹部に前記縦枠部材を嵌入して形成することを特徴とするものである。
【０００８】
請求項２に係る発明の扉枠材の取付構造にあっては、請求項１記載の扉枠材の取付構造において、前記上枠部材と前記上枠下地材が、一体的に形成されていることを特徴とするものである。
【発明の効果】
【０００９】
本願発明の扉枠材の取付構造では、所定の間隔をおいて隣り合う壁パネルの内側側端面に沿って取付けられる縦枠部材と、前記縦枠部材の上端部にて両側側端面が挟持される上枠部材と、前記上枠部材の上側面に連結した上枠下地材とを備え、前記隣り合う壁パネルの間に挿設する扉枠材の取付構造において、前記隣り合う壁パネルの上端部の間で、前記上枠下地材を挟持せしめた後、前記上枠部材の側端面と、前記上枠下地材の下側面と、前記壁パネルの内側側端面で形成された凹部に前記縦枠部材を嵌入して形成することを特徴とするので、隣り合う壁パネルの間に挿設する扉枠材の取付構造において、扉枠材の高さが天井部分に届く程の高さであっても、扉枠材の取付施工が簡便且つ精度良く、熟練を要することなくできることに加えて、壁パネルを立設した後に、扉枠材の後付け施工が可能となるというものである。
【発明を実施するための最良の形態】
【００１０】
以下、本願発明の実施形態を図面に基づき説明する。ここで、図１は、本願発明の一実施形態である扉枠材の取付構造の概略を模式的に示すもので、（ａ）は、正面図、（ｂ）は、その拡大図である。また、図２は、本願発明の一実施形態である扉枠材の取付構造の施工の手順の概略を例示するもので、（ａ）は、壁パネルの建て込み、上枠下地材及び上枠部材の取付けの様子を模式的に示す図、（ｂ）は、天井表面材の貼付等、天井面完成後の様子を模式的に示す図、（ｃ）は、縦枠部材の取付けの様子を模式的に示す図である。一方、図３は、本願発明の図１、図２と異なる実施形態である扉枠材の取付構造の施工時における壁パネルの建て込み及び上枠部材の取付けの様子を模式的に示す図である。
【００１１】
すなわち、本実施形態の扉枠材の取付構造は、図１に示すように、所定の間隔［Ａ］をおいて隣り合う壁パネル１の内側側端面２に沿って取付けられる縦枠部材３と、この縦枠部材３の上端部４にて両側の側端面５ａ、５ｂが挟持される上枠部材６と、この上枠部材６の上側面７に連結した上枠下地材８とを備え、前記隣り合う壁パネル１の間に挿設する扉枠材９（縦枠部材３及び上枠部材６よりなる）の取付構造に関するものである。
【００１２】
さらに、本実施形態の扉枠材の取付構造では、後述する図２（ａ）〜（ｃ）に示すように、前記隣り合う壁パネル１の上端部１０の間で、上枠下地材８を挟持せしめた後、上枠部材６の側端面５ａ（或いは、５ｂ）と、上枠下地材８の下側面１１と、前記壁パネルの内側側端面２で形成された凹部１２に前記縦枠部材３を嵌入して形成するものである。
【００１３】
具体的には、本実施形態の扉枠材の取付構造における施工は、例えば、図２（ａ）〜（ｃ）に示す手順で行なうことができる。ここでは、まず、図２（ａ）に示すように、家具類、各種設備類の搬入、取付け等に先だって、壁パネル１の建て込み、上枠下地材８及びこれと上側面７で連結した上枠部材６の取付けを行なうこととなる。すなわち、床１４、天井下地１５の施工を行なった後、壁パネル１を建て込むこととなるが、この際に、上枠下地材８及び（これと上側面７で連結した）上枠部材６の取付けをも、併せて行なうというものであり、壁パネル１を建て込み時に上枠下地材８をその両側に立設する壁パネル１の間に嵌入することとなる。この場合において、扉枠材９の幅寸法［Ａ］に比較して、上枠下地材８の長さ［Ｂ］を若干（２ｍｍ以下程度）大きく設計しておき（図１（ａ）参照）、上記上枠下地材８の嵌入を容易にできるようにしておくことが好ましい。
【００１４】
かかる施工方法によれば、隣り合う壁パネル１の上端部１０の間で、上枠下地材８を挟持せしめることとなるので、扉枠材９の横幅寸法が、上枠下地材８の横幅寸法で所定の値に規定し得ることとなる。この結果、扉枠材９の寸法精度が、施工業者の熟練度や技術レベルに左右され難くなり、また、壁パネル１の調整や、確認作業等に費やす労力を軽減し得ることとなる。
【００１５】
このようにして、壁パネル１を複数枚使用して形成する間仕切り壁における扉枠材９の両側に立設する壁パネル１の立設位置を固定した後、図２（ｂ）に示すように、天井表面材１３を貼付し、天井面を完成させることとなる。この段階で、各種家具類や、キッチンその他の設備類の搬入を行ない、床、壁、天井等への取付け、固定を行なう。この場合、縦枠部材３の取付けを未だ、行なっていないので、例えば、上記した従来の扉枠材９と壁パネル１とを同時に施工していたような場合と異なり、施工後に、家具類、キッチンその他の設備の搬入、取付けを行なう際に扉枠材９が傷つき、補修を要する等の問題を回避し得ることとなる。
【００１６】
つぎに、図２（ｃ）に示すように、縦枠部材３の取付けを行なうこととなるが、この際、凹部１２の幅寸法［Ｃ（上記図２（ａ）参照）］に比較して、縦枠部材３の幅寸法［Ｄ（上記図２（ｂ）参照）］を若干（２ｍｍ以下程度）大きく設計しておき、縦枠部材３の嵌入を容易にできるようにしておくことが好ましい。さらには、縦枠部材３の上端部４に上枠部材６がのみこみ可能な掘り込みを有したものであれば、壁パネル１の建て込み誤差をさらに吸収でき、良好な仕上がりを確保し得ることとなる。このようにして、扉枠材９の取付けを完了した後、クロス仕上げ、フローリングを行ない、扉を設置して内装を完成し得るというものである。
【００１７】
なお、本実施形態の扉枠材の取付構造は、上記図２（ａ）に示したように、上枠部材６と上枠下地材８を別部材として構成し、上枠下地材８を上枠部材６とその上側面７で連結して取付けることとしたが、例えば、図３に、上記図２（ａ）と対比可能に示したように、前記上枠部材６と前記上枠下地材８とを、一体的に形成した上枠部材６ａとする実施形態も当然に可能である。かかる上枠下地材と一体的に形成した上枠部材６ａを使用すれば、施工業者の熟練度や技術レベルへの依存度をさらに低減でき、施工が一層簡便且つ省力的となることに加えて、扉枠材９の寸法精度をさらに向上し得ることとなる。
【００１８】
以上のように、本願発明の扉枠材の取付構造によれば、隣り合う壁パネルの間に挿設する扉枠材の取付構造において、扉枠材の高さが天井部分に届く程の高さであっても、扉枠材の取付施工が簡便且つ精度良く、熟練を要することなくできることに加えて、壁パネルを立設した後に、扉枠材の後付け施工が可能となるというものである。この結果、例えば、上記した従来の扉枠材と壁パネルとを同時に施工していたような場合と異なり、壁パネルを立設した後に、設備の搬入、取付け等を完了し、さらにその後に、扉枠材の後付け施工ができるので、施工後に、家具類、キッチンその他の設備の搬入、取付けを行なう際に扉枠材が傷つき、補修を要する等の問題を回避し得ることとなる。
【図面の簡単な説明】
【００１９】
【図１】本願発明の一実施形態である扉枠材の取付構造の概略を模式的に示すもので、（ａ）は、正面図、（ｂ）は、その拡大図である。
【図２】本願発明の一実施形態である扉枠材の取付構造の施工の手順の概略を例示するもので、（ａ）は、壁パネルの建て込み、上枠下地材及び上枠部材の取付けの様子を模式的に示す図、（ｂ）は、天井表面材の貼付等、天井面完成後の様子を模式的に示す図、（ｃ）は、縦枠部材の取付けの様子を模式的に示す図である。
【図３】本願発明の上記と異なる実施形態である扉枠材の取付構造の施工時における壁パネルの建て込み及び上枠部材の取付けの様子を模式的に示す図である。
【図４】従来例に係る扉枠材の取付構造の概略を示すもので、（ａ）は、その全体を概略的に示す斜視図、（ｂ）は、縦枠部材と上枠部材との連結に係る部分を概略的に示す斜視図である。
【符号の説明】
【００２０】
１    壁パネル
２    内側側端面（壁パネル１）
３    縦枠部材（扉枠材９）
４    上端部（縦枠部材３）
５    側端面（上枠部材６）
５ａ  側端面（上枠部材６）
５ｂ  側端面（上枠部材６）
６    上枠部材（扉枠材９）
６ａ  上枠部材
７    上側面（上枠部材６）
８    上枠下地材
９    扉枠材
１０    上端部（壁パネル１）
１１    下側面（上枠下地材８）
１２    凹部（内側側端面２、側端面５、下側面１１）
１３    天井表面材
１４    床
１５    天井下地
１６    壁パネル
１７    扉枠材
１８    壁パネル
１９    縦枠部材（扉枠材１７）
２０    上枠部材（扉枠材１７）
２１    開口部
２２    挿入部
２３    中央部（挿入部２２）
２４    傾斜部（挿入部２２）
【図１】
2005336784.tif 000003
【図２】
2005336784.tif 000004
【図３】
2005336784.tif 000005
【図４】
2005336784.tif 000006